(57)【特許請求の範囲】
【請求項１】
セル内のユーザエンティティ（ＵＥ）からのアップリンク送信をスケジューリングし及び受信し、さらに当該送信に関連するデータをコアネットワークへ転送するために適合される基地局における方法であって、
前記基地局は、対応する送信時間インターバル（５００）上で許可されたデータレートでユーザエンティティがアップリンク送信信号を送信することを許容するために、ある送信時間インターバルについて制御チャネル（Ｅ−ＡＧＣＨ）上で絶対許可信号を送信する（５０６）ために適合され、
前記方法は、
前記制御チャネル上の送信時間インターバルについて、
−絶対許可がスケジューリングされる場合（５０２）に、前記絶対許可を送信するステップ（５０６）と、
−絶対許可がスケジューリングされない場合（５０２）に、前記セル内で少なくとも１つのＵＥが前記制御チャネル（Ｅ−ＡＧＣＨ）上での受信を行うために構成されているかを調査するステップ（５０４）と、構成されていないときに送信を控える（ＤＴＸ）ステップ（５０８）と、
を含み、
−絶対許可がスケジューリングされず（５０２）、かつ前記セル内で少なくとも１つのＵＥが前記制御チャネル（Ｅ−ＡＧＣＨ）上での受信（５０４）を行うために構成されている場合には、前記方法は、
−前記セル内の未構成のＵＥのための絶対許可を送信するステップ（５１０）と、
−前記セル内の任意の構成済みのＵＥを選択するステップ（５１４）及び選択された当該ＵＥへより早い送信時間インターバルにおいて過去に送信された絶対許可を送信するステップ（５１１）と、
のうちの少なくとも一方を含む、
方法。
【請求項２】
前記方法が前記セル内の任意の構成済みのＵＥを選択するステップ（５１４）及び選択された当該ＵＥへより早い送信時間インターバルにおいて過去に送信された絶対許可を送信するステップ（５１１）を含むケースについて、前記方法は、さらに、
−選択された前記ＵＥがソフトハンドオーバ中であるかを調査するステップ（５１６）と、ソフトハンドオーバ中である場合に、選択された当該ＵＥへより早い送信時間インターバルにおいて過去に送信された絶対許可を送信するステップ（５１１）と、ソフトハンドオーバ中ではない場合に、前記セル内の未構成のＵＥのための絶対許可を前記制御チャネル上で送信するステップ（５１０）と、
を含む、請求項１に記載の方法。
【請求項３】
前記セル内の未構成のＵＥのための絶対許可の前記送信（５１０）又はより早い送信時間インターバルにおいて過去に送信された絶対許可の前記送信（５１１）は、
スケジューリング（５０２）される絶対許可（５０６）が送信される電力レベルに対して相対的に低減された電力レベルで実行（５１２）される、
請求項１又は請求項２に記載の方法。
【請求項４】
前記低減された電力レベルは、スケジューリング（５０２）される絶対許可（５０６）が送信されるレベルを少なくとも２ｄＢ下回る、請求項３に記載の方法。
【請求項５】
少なくとも、
前記方法は、高速アップリンクパケットアクセス（ＨＳＵＰＡ）に従って動作するために適合され、
前記基地局は、ノードＢであり、
前記制御チャネルは、拡張専用チャネル（Ｅ−ＤＣＨ）絶対許可チャネル（Ｅ−ＡＧＣＨ）というチャネルであり、
前記セル内の未構成のＵＥのための絶対許可を送信する前記ステップは、前記セル内で構成されていない拡張専用チャネル（Ｅ−ＤＣＨ）無線ネットワーク一時識別子（Ｅ−ＲＮＴＩ）のための絶対許可を送信すること、に相当する、
請求項１〜４のいずれかに記載の方法。
【請求項６】
セル内のユーザエンティティ（ＵＥ）からのアップリンク送信をスケジューリングし及び受信し、さらに当該送信に関連するデータをコアネットワークへ転送するために適合される、スケジューラ（ＳＣＨ）を備える基地局であって、
前記基地局は、対応する送信時間インターバル（５００）上で許可されたデータレートでユーザエンティティがアップリンク送信信号を送信することを許容するために、ある送信時間インターバルについて制御チャネル（Ｅ−ＡＧＣＨ）上で絶対許可信号を送信（５０６）するために適合され、
前記基地局は、
前記制御チャネル上の送信時間インターバルについて、
−絶対許可がスケジューリングされる場合（５０２）に、前記絶対許可を送信（５０６）し、
−絶対許可がスケジューリングされない場合（５０２）に、前記セル内で少なくとも１つのＵＥが前記制御チャネル（Ｅ−ＡＧＣＨ）上での受信を行うために構成されているかを調査（５０４）し、構成されていないときに送信を控える（５０８）（ＤＴＸ）、
ためにさらに適合され、
−絶対許可がスケジューリングされず（５０２）、かつ前記セル内で少なくとも１つのＵＥが前記制御チャネル（Ｅ−ＡＧＣＨ）上での受信（５０４）を行うために構成されている場合には、前記基地局は、
−前記セル内の未構成のＵＥのための絶対許可を送信（５１０）することと、
−前記セル内の任意の構成済みのＵＥを選択（５１４）し、選択された当該ＵＥへより早い送信時間インターバルにおいて過去に送信された絶対許可を送信（５１１）することと、
のうちの少なくとも一方を実行するために適合される、
基地局。
【請求項７】
前記基地局が前記セル内の任意の構成済みのＵＥを選択（５１４）し選択された当該ＵＥへより早い送信時間インターバルにおいて過去に送信された絶対許可を送信（５１１）するように適合されるケースについて、前記基地局は、さらに、
−選択された前記ＵＥがソフトハンドオーバ中であるかを調査（５１６）し、ソフトハンドオーバ中である場合に、選択された当該ＵＥへより早い送信時間インターバルにおいて過去に送信された絶対許可を送信（５１１）し、ソフトハンドオーバ中ではない場合に、前記セル内の未構成のＵＥのための絶対許可を前記制御チャネル上で送信（５１０）する、
ために適合される、請求項６に記載の基地局。
【請求項８】
前記セル内の未構成のＵＥのための絶対許可の前記送信（５１０）又はより早い送信時間インターバルにおいて過去に送信された絶対許可の前記送信（５１１）は、
スケジューリング（５０２）される絶対許可（５０６）が送信される電力レベルに対して相対的に低減された電力レベルで実行（５１２）される、
請求項６又は請求項７に記載の基地局。
【請求項９】
前記低減された電力レベルは、スケジューリング（５０２）される絶対許可（５０６）が送信されるレベルを少なくとも２ｄＢ下回る、請求項８に記載の基地局。
【請求項１０】
少なくとも、
前記基地局は、高速アップリンクパケットアクセス（ＨＳＵＰＡ）に従って動作するために適合され、
前記基地局は、ノードＢであり、
前記制御チャネルは、拡張専用チャネル（Ｅ−ＤＣＨ）絶対許可チャネル（Ｅ−ＡＧＣＨ）というチャネルであり、
前記基地局が前記セル内の未構成のＵＥのための絶対許可を送信するために適合されることは、前記基地局が前記セル内で構成されていない拡張専用チャネル（Ｅ−ＤＣＨ）無線ネットワーク一時識別子（Ｅ−ＲＮＴＩ）のための絶対許可を送信するために適合されること、に相当する、
請求項６〜９のいずれかに記載の基地局。
【発明の詳細な説明】
【技術分野】
【０００１】
本発明は、ユーザエンティティ、基地局及びネットワークのためのアップリンクリソースハンドリングのシグナリングを対象とする。より具体的には、本発明は、アップリンクレートが基地局によって特定のダウンリンクシグナリングにより規制されるシステム及び方法に関連し、そうした基地局は、許可されるデータレートでユーザエンティティがアップリンク送信信号を対応する送信時間インターバル上で送信することを可能するために、送信時間インターバル用の制御チャネル上で絶対許可信号を送信するために適合される。
【背景技術】
【０００２】
広帯域符号分割多重アクセス（ＷＣＤＭＡ）仕様のリリース１１−例えば、先行技術文献である３ＧＰＰ  ＴＳ２５．３１９“Enhanced  Uplink;  Overall  Description;  Stage  2”（Version  V11.3.0,  2012-03-14）内にある−は、高速アップリンクパケットアクセス（ＨＳＵＰＡ）通信方式とも呼ばれる拡張アップリンクを開示している。ＨＳＵＰＡは、改善されたインタラクティブサービス、バックグラウンドサービス及びストリーミングサービスの便宜を図るために、高速データパケットアクセス（ＨＳＤＰＡ）により提供されるビットレートに適合することを狙っている。
【０００３】
図１に、ＨＳＵＰＡネットワークの外観が示されている（ＨＳＤＰＡ関連チャネルは図には含まれない）。ネットワークは、Ｉｕインタフェース又はＩｕｒインタフェース上で無線ネットワークコントローラ（ＲＮＣ、Ｓ−ＲＮＣ、Ｄ−ＲＮＣ（ドリフティングＲＮＣ））と通信するコアネットワークと、第１の基地局であるノードＢ  Ｂ１と、第２の基地局であるノードＢ  Ｂ２とを含み、双方の基地局はＥＵＬスケジューラユニットを備える。ＥＵＬスケジューラ（ＥＵＬ−ＳＣＨ）は、ＭＡＣ−ｅスケジューラとも呼ばれ、それぞれのＩｕｂインタフェース上でＲＮＣと通信する。
【０００４】
次のＨＳＵＰＡチャネルがエアインタフェース上で送信される：ＭＡＣ−ｅスケジューラからＵＥへ向けて絶対許可シグナリングを移送するＥ−ＡＧＣＨ、相対許可シグナリングのためのＥ−ＲＧＣＨ、ＵＥにより送信されるデータを復号するノードＢからの確認応答フィードバックを移送するＥ−ＨＩＣＨ、送信電力制御（ＴＰＣ）コマンドを移送する専用物理チャネル（ＤＰＣＨ）又はフラクショナルＤＰＣＨ、ＭＡＣ−ｅペイロードを移送する拡張ＤＰＤＣＨ（Ｅ−ＤＰＤＣＨ）、及び、ＭＡＣ−ｅの制御シグナリングを移送する拡張ＤＰＣＣＨ（Ｅ−ＤＰＣＣＨ）。
【０００５】
ノードＢ１は、この例においてサービングセルに対応し（Ｅ−ＡＧＣＨは、サービングセルからのみ送信される）、ノードＢ２は、非サービングセルに対応する。
【０００６】
ＨＳＵＰＡ仕様によれば、拡張専用チャネル（Ｅ−ＤＣＨ）の高速アップリンクトランスポートチャネルは、短い送信時間インターバル（ＴＴＩ）、ソフト合成を伴う高速ハイブリッド自動再送要求（ＡＲＱ）、低減された遅延のための高速スケジューリング、増加したデータレート及び増加したキャパシティといった、複数の特徴を提供する。
【０００７】
ＵＥがノードＢとの通信をセットアップする際、セットアップ手続に続いて例えばＴＣＰを用いるダウンロード／インターネットページのサーフィンのためのＨＳＰＤＡセッションが生じ得る。ユーザエンティティのケイパビリティに依存して、これは、さらにＨＳＵＰＡ送信を包含するかもしれず、ＨＳＤＰＡダウンリンクチャネル上でＴＣＰメッセージを送信したノードＢは、ノードＢへのＥ−ＤＣＨアップリンク上でＴＣＰ確認応答を受信することになる。ノードＢは、Ｅ−ＤＣＨ上でどういったペースでＵＥが送信を行うべきかを判定し又はスケジューリングする。ノードＢは、スケジューリング決定を移送するためにＥ−ＡＧＣＨを利用する。ＴＣＰデータセグメントがダウンリンクで送信される時間からＴＣＰ確認応答がアップリンクで応答として送信されるまで測定されるより短い遅延は、ＴＣＰレイヤのより短いラウンドトリップ時間推定に起因して、ファイル転送といったダウンロード時間の減少をもたらす。
【０００８】
ノードＢと共にＨＳＵＰＡサービスを使用するために、ユーザエンティティは、どのＥ−ＡＧＣＨコード上でダウンリンクトラフィックを受信することを想定されるかについて通知される。この目的のために、セル内の共有チャネルであるＥ−ＡＧＣＨが使用される。Ｅ−ＡＧＣＨは、１つから多数までの、ある数のチャネライゼーションコードを有するように定義されることができる。
【０００９】
Ｅ−ＤＣＨ無線ネットワーク一時識別子は、ＵＥがＥ−ＤＣＨ（拡張ＵＬ  ＤＣＨ）チャネルを確立した後に、ノードＢにより割り当てられる。ＵＥ／ＵＥグループへ割り当てられたＥ−ＤＣＨ  ＲＮＴＩは、当該Ｅ−ＤＣＨを搬送するセルの範囲内で一意であるものとされる。
【００１０】
Ｅ−ＡＧＣＨチャネルは、ＮＢＡＰ（ノードＢアプリケーションパート）シグナリングプロトコルを介するＲＮＣとの構成又は再構成手続において、ノードＢへ向けて構成される。
【００１１】
ＨＳＵＰＡは、多くの観点でＨＳＤＰＡと同様である。しかしながら、ＨＳＤＰＡとは異なり、ＨＳＵＰＡは、アップリンクでのデータ転送のために共有チャネルを利用しない。Ｗ−ＣＤＭＡでは、各ＵＥは既にアップリンクにおいて一意のスクランブリングコードを使用し、そのため、各ＵＥは既にネットワークへの専用アップリンク接続をその接続において十分に余りあるコードチャネル空間と共に有する。これはダウンリンクとは対照的であり、ダウンリンクでは、ノードＢは、単一のスクランブリングコードを使用し、そして異なるＵＥへ異なるＯＶＳＦチャネライゼーションコードを割り当てる。アップリンクにおける共有リソースは、事実上ノードＢにおいて干渉となるレベルであり、ネットワークは、干渉レベルを高速な閉ループ電力制御アルゴリズムを通じて管理する。アップリンクにおいてＵＥがネットワークへの専用の接続を有するという事実は、非常に大きくＨＳＵＰＡの設計に影響する。ＨＳＵＰＡの目標は、（どのＵＥがどういったレートで送信を行うべきかについての変更をネットワークが迅速に作用させることを可能とする）高速スケジューリングのサポート、及び全体的な送信遅延の低減であった。送信遅延の低減は、ＨＳＤＰＡに非常に類似するやり方とオプションとしてのより短い２ｍｓＴＴＩとによって、高速なＨＡＲＱ（ハイブリッド自動再送要求）の再送を通じて達成される。アップリンク上で共有される主要なリソースは基地局に到達する合計電力であるため、ＨＳＵＰＡスケジューリングは、任意の所与の時点で送信を行うためにＵＥが使用可能な電力の最大量を直接的に制御することにより実行される。
【００１２】
ネットワークは、Ｅ−ＤＰＤＣＨ上のＵＥの送信電力を制御するための２つの方法を有しており、非スケジューリング許可又はスケジューリング許可のいずれかを使用することができる。非スケジューリング許可では、ネットワークは、あるＴＴＩの期間中にＥ−ＤＣＨ上で送信可能な最大ブロックサイズを単純にＵＥへ知らせる。このブロックサイズは、呼セットアップにおいてシグナリングされ、すると、ＵＥは、呼の終了まで又はネットワークがＲＲＣ再構成手続を介して非スケジューリング許可を修正するまで、各ＴＴＩにおいてそのサイズ以下のブロックを送信することができる。ブロックサイズは、呼のセットアップの期間中にやはりネットワークにより構成される電力レベルへと、確定的に（deterministically）マッピングされる。非スケジューリング許可は、ＶｏＩＰ（voice-over-IP）といった、定常レートで遅延に敏感なアプリケーションに最も適している。
【００１３】
スケジューリング許可に関しては、ＵＥは、ネットワークから受信される情報に基づいて更新されるサービング許可を維持する。サービング許可は、その時点のＴＴＩにおいてＥ−ＤＰＤＣＨ上でＵＥにより使用可能な最大電力を直接的に特定する。Ｅ−ＤＣＨブロックサイズは電力レベルへ確定的にマッピングされ、ＵＥは、自身のサービング許可をあるＴＴＩにおいて使用可能な最大Ｅ−ＤＣＨブロックサイズへと変換することができる（電力レベルのマッピングは、呼セットアップにおいてシグナリングされるＥ−ＴＦＣＩリファレンス電力オフセットにより判定される（Ｅ−ＴＦＣＩ（E-DCH  Transport  Format  Combination  Identifier）は、データレートに関連するトランスポートブロックサイズについての情報を含む））。
【００１４】
ＵＥのサービング許可をネットワークが制御可能な２つの手法が存在する。第１の手法は、共有されるＥ−ＡＧＣＨダウンリンクチャネル上で送信される絶対許可（absolute  grant）を通じて行われ、サービング許可についての特定の絶対的な数値をシグナリングする。他の手法は、Ｅ−ＲＧＣＨチャネルを用いて送信される相対許可（relative  grant）を通じて行われ、ＵＥのサービング許可をその時点の値から上方へ又は下方へ逓増／逓減によって（incrementally）調整する。任意の所与の時点で、ＵＥは、自身のサービングセルから単一のＥ−ＡＧＣＨと１つ以上のＥ−ＲＧＣＨとをリッスンしているであろう。Ｅ−ＡＧＣＨは、共有チャネルであり、そのため、ＵＥは、自らを宛て先とするＥ−ＡＧＣＨ上のブロックが受信された場合にのみ、自身のサービング許可を更新することになる（呼セットアップにおいてシグナリングされるＥ−ＲＮＴＩのアイデンティティが、送信信号を特定のＵＥへと差し向けるためにＥ−ＡＧＣＨ上で使用される）。Ｅ−ＡＧＣＨ送信信号は、絶対許可値（Absolute  Grant  Value）及び絶対許可範囲（Absolute  Grant  Scope）を含む。上記値は最大レートに対応し、上記範囲は“全ＨＡＲＱプロセス”又は“ＨＡＲＱプロセスごと”のいずれかに設定可能である。Ｅ−ＲＧＣＨは、複数のＵＥにより共有もされるが、このチャネル上では、ＵＥは、より上位レイヤのアイデンティティよりもむしろ、特定の直交シグネチャについてリッスンしている。ＵＥは、所与のＴＴＩにおいて自身のシグネチャを検出しなければ、これを“維持（Hold）”コマンドとして解釈し、よって自身のサービング許可を変更しない。
【００１５】
帯域幅は時間を追って動的に変化することを要するため、帯域幅が不必要に浪費されないように、ユーザエンティティによる電力の放射は素早く規制されることが望ましい。ユーザエンティティは、より速いスピードについての自身のニーズに関する満足／不満足（Happy/Not  Happy）としてリクエストを送信する。
【００１６】
送信されていない絶対許可をＵＥが誤って検出してしまうリスクが存在し、それはゴースト許可（ghost  grant）とも称される。そうしたゴースト許可は、ノードＢによる受信の用意の無いレートでＵＥが送信を行うことを引き起こしかねない。
【００１７】
図２は、Ｅ−ＡＧＣＨとＥ−ＤＣＨとの間の関係を示している。なお、あるセル（セル０）のために、より多くのＥ−ＡＧＣＨチャネル（Ｅ−ＡＧＣＨ＃１、Ｅ−ＡＧＣＨ＃２）が提供され得る。Ｅ−ＡＧＣＨ＃１に割り当てられたＵＥに着目すると、絶対許可の値Ｘ（全てのＨＡＲＱ）が受信されるインスタンスｔ＿ａから、ＵＥは、さらなる通知がなされるまで最大の許可（grant）Ｘを使用することができる。後続のインスタンスｔ＿ｂにおいて、ＵＥは、さらなる通知がなされるまで、最大の許可Ｘ＋１（全てのＨＡＲＱ）を使用し得る。しかしながら、再送であればそれが“タイムアウト”するまで許可Ｘ上でなされることが許容される。
【００１８】
発明者らは、現在のところ標準化されている仕様−発明が対象とする唯一の背景の分野ではない−によれば、ＵＥによりゴースト許可が検出されるそうした状況においてノードＢは復号不能の場合ＮＡＣＫをＥ−ＨＩＣＨ上で送信するであろう、ということを見出した。ノードＢは、新たなＵＥの送信について問題を回避するために、新たな絶対許可をも送信するであろう。しかしながら、３ＧＰＰ標準は、ＵＥが前回の許可レベルで再送を行うことを許容する（図２参照）。変更が必要でない場合、Ｅ−ＡＧＣＨ上では何も送信されず、そのため、典型的には、Ｅ−ＡＧＣＨチャネル上で多数のＤＴＸが生じる。最高レベル（ＡＧインデックス３１）のゴースト許可が現れるかもしれない。これは、−パラメータ設定に依存して−いくつものＡＧインデックスが最高レベルへとマッピング可能であるために、それほどあり得ないことではない。こうしたゴースト許可は、セル内で多大な電力の上昇を引き起こし、重度の干渉を生じさせるであろう。他のＵＥの復号を阻害することになる。ノードＢは送信信号を復号するためのリソースを有しないかもしれず、又は高い干渉を理由として、復号は失敗にもなり、新たなＮＡＣＫが送信される。これは、許容される最大の再送回数に達する（例えば、７回）まで続き、セル内に相当な量の干渉を生じさせるであろう。最終的に、ＵＥは送信をあきらめて停止し、その後より上位のレイヤであるＲＬＣ（無線リンク制御レイヤ）の再送をもたらすであろう。さらに、増加した干渉により隣接セルがインパクトを受ける。
【００１９】
発明者らによれば、２ｍｓＴＴＩのＵＥについてのＥ−ＡＧＣＨの誤検出についてのリスクは、次のように評価され得る：１分間に３０．０００ＴＴＩが存在する。１６ビットＣＲＣ（巡回冗長検査）の場合、６５．５３６通りの組合せが存在する。ラボ及びフィールドテストでは、典型的には、数分のインターバルに１回のＥ−ＡＧＣＨ（Ｅ−ＡＧＣＨ：Ｅ−ＤＣＨ絶対許可チャネル）誤検出がＵＥにおいて経験される。
【発明の概要】
【００２０】
本発明の第一の目的は、ユーザエンティティ（ＵＥ）における“ゴースト信号”の検出を最小化することである。
【００２１】
本目的は、セル内のユーザエンティティ（ＵＥ）からのアップリンク送信をスケジューリングし及び受信し、さらに当該送信に関連するデータをコアネットワークへ転送するために適合される基地局における方法により達成された。上記基地局は、対応する送信時間インターバル上で許可されたデータレートでユーザエンティティがアップリンク送信信号を送信することを許容するために、ある送信時間インターバルについて制御チャネル（Ｅ−ＡＧＣＨ）上で絶対許可信号を送信するために適合される。上記方法は、上記制御チャネル上の送信時間インターバルについて、
−絶対許可がスケジューリングされる場合に、上記絶対許可を送信するステップと、
−絶対許可がスケジューリングされない場合に、上記セル内で少なくとも１つのＵＥが上記制御チャネル（Ｅ−ＡＧＣＨ）上での受信を行うために構成されているかを調査するステップと、構成されていないときに送信（ＤＴＸ）を控えるステップと、
を含み、
−絶対許可がスケジューリングされず、かつ上記セル内で少なくとも１つのＵＥが上記制御チャネル上での受信を行うために構成されている場合には、さらに上記方法は、
−上記セル内の未構成のＵＥのための絶対許可を送信するステップと、
−上記セル内の任意の構成済みのＵＥを選択するステップ及び選択された当該ＵＥへより早い送信時間インターバルにおいて過去に送信された絶対許可を送信するステップと、
のうちの少なくとも一方を含む。
【００２２】
上記目的は、さらに、セル内のユーザエンティティからのアップリンク送信をスケジューリングし及び受信し、さらに当該送信に関連するデータをコアネットワークへ転送するために適合される、スケジューラ（ＳＣＨ）を備える基地局により達成された。上記基地局は、対応する送信時間インターバル上で許可されたデータレートでユーザエンティティがアップリンク送信信号を送信することを許容するために、ある送信時間インターバルについて制御チャネル上で絶対許可信号を送信するために適合される。上記基地局は、上記制御チャネル上の送信時間インターバルについて、−絶対許可がスケジューリングされる場合に、上記絶対許可を送信し、−絶対許可がスケジューリングされない場合に、上記セル内で少なくとも１つのＵＥが上記制御チャネル（Ｅ−ＡＧＣＨ）上での受信を行うために構成されているかを調査し、構成されていないときに送信（ＤＴＸ）を控える、ためにさらに適合され、
−絶対許可がスケジューリングされず、かつ上記セル内で少なくとも１つのＵＥが上記制御チャネル上での受信を行うために構成されている場合には、上記基地局は、次の２つのオプションａ）及びｂ）のうちの少なくとも一方を実行するために適合される：
ａ）上記セル内の未構成のＵＥのための絶対許可を送信する；、
ｂ）上記セル内の任意の構成済みのＵＥを選択し、選択された当該ＵＥへより早い送信時間インターバルにおいて過去に送信された絶対許可を送信する。
【００２３】
特定の多様な条件下で、不連続送信（ＤＴＸ）を実行するよりもむしろＥ−ＡＧＣＨ上で“何らかのもの”が送信されることを保証することにより、ＵＥがチャネルを検出して、特定の送信信号が問題のＵＥを宛て先としていないケースではマッチングしない巡回冗長検査（ＣＲＣ）を導出することが可能となる。これは、ノイズフロアを超えるシグナリングにより、いわゆる“ゴースト許可”の検出のリスクを引き下げる。結果的に、ＵＥにおけるゴースト許可検出のレートは、本発明に従って引き下げられる。
【００２４】
本発明のさらなる目的は、ダウンリンクの電力消費を制限しつつ、ユーザエンティティ（ＵＥ）におけるゴーストの検出を最小化することである。
【００２５】
本発明のさらなる観点によれば、ＵＥのための未構成のアイデンティティについての絶対許可の送信、又はより早い送信時間インターバルにおいて過去に送信された絶対許可の送信が、
−スケジューリングされる絶対許可が送信される電力レベルに対して相対的に低減された電力レベルで実行される。
【図面の簡単な説明】
【００２６】
【図１】従来技術であるＨＳＵＰＡネットワーク及びシグナリングの基本的な要素を示している。
【図２】従来技術のチャネル関係を示している。
【図３】“ゴースト許可”、即ち誤って検出される許可の例示的な発生を示している。
【図４】出願人の内部的な基準設計の側面を示している。
【図５】本発明に係る方法の第１の実施形態を示している。
【図６】本発明に係る方法の第２の実施形態を示している。
【図７】本発明に係る方法の第３の実施形態を示している。
【図８】本発明に係る例示的な基地局を示している。
【発明を実施するための形態】
【００２７】
図４は、Ｅ−ＡＧＣＨチャネルについての無線コーディングに関連する未公開の基準設計の要素を示している。ステップ４１０において、ＨＡＲＱごとの又は全てのＨＡＲＱ絶対許可の値、及びＨＡＲＱ範囲の値が、多重化ステージ４１０に入力される。多重化ステージから、ＩＤ固有のＣＲＣの付加が行われる。Ｅ−ＲＮＴＩと称されるＵＥ固有の識別子が、１６ビットの巡回冗長検査（ＣＲＣ）を生成するために使用される（３ＧＰＰ２５．２１２，ｖ１１．１．０；“Multiplexing  and  channel  coding  (FDD)”，chapters  4.2.1  and  4.10参照）。その後、チャネル符号化４１４、物理レートマッチング４１６、及び最後に物理チャネルマッチングが、絶対許可信号をＥ−ＡＧＣＨチャネル上で送信するために定義されている。
【００２８】
従来技術の機能性は、個々の送信時間インターバル（ＴＴＩ）５００ごとに、対象のＴＴＩについて絶対許可がスケジューリングされるかをスケジューラが調査するものとして解釈され得る。ｙｅｓであれば絶対許可が送信され（５０６）、ｎｏであれば送信は途絶する（discontinued）（ＤＴＸ，５０３）。
【００２９】
図３には、そうしたＥ−ＡＧＣＨハンドリングの影響が示されている。セル０と表記されているセルについて、Ｅ−ＤＣＨチャネル上のＵＥ３のための１６０ｋｂｐｓのアップリンクビットレートを提供するために絶対許可が送信されている。図示したように、セル内の他のＵＥであるＵＥ１及びＵＥ２は、ＵＥ３よりも比較的高いレベルで送信を行い得る。後続するＴＴＩにおいて、ＵＥ３においてゴースト許可が誤って検出され、ＵＥ３は０．１６Ｍｂｐｓから増加したビットレート５．７Ｍｂｐｓを認識する。セル内で、ＲｏＴ（rise  over  thermal）又はＲＴＷＰ（Received  Total  Wideband  Power）のレベルの漸進的な大きな増加が経験される。
【００３０】
図５において、セル内のユーザエンティティ（ＵＥ）からのアップリンク送信をスケジューリングし及び受信し、さらに当該送信に関連するデータをコアネットワークへ転送するために適合される基地局における、本発明に係る方法の第１の実施形態が示されている。
【００３１】
基地局は、制御チャネル上の対応する送信時間インターバル５００上で許可されたデータレートでユーザエンティティがアップリンク送信信号を送信することを許容するために、制御チャネル（Ｅ−ＡＧＣＨ）上で絶対許可信号を送信するために適合される。より多くの制御チャネルが提供されるケースでは、本方法は、各制御チャネルについて実行され得る。
【００３２】
本方法は、ある送信時間インターバル（ステップ５００）について、ステップ５０２、５０４、５０６、５０８、５１０を含む。
【００３３】
ステップ５０２において、絶対許可がスケジューリングされるかが調査される。絶対許可がスケジューリングされる場合、基地局は、制御チャネル上で絶対許可を送信（５０６）している。
【００３４】
５０２において絶対許可がスケジューリングされない場合、セル内で少なくとも１つのＵＥが制御チャネルＥ−ＡＧＣＨ上での受信を行うために構成されているかに関する調査が行われ（ステップ５０４）、構成されていないときには何らかの送信を行うことが控えられ、即ち、基地局は不連続送信（ＤＴＸ）を行う。
【００３５】
一方、絶対許可がスケジューリング５０２されず、かつセル内で少なくとも１つのＵＥが制御チャネル（Ｅ−ＡＧＣＨ）上での受信５０４を行うために構成されている場合−本方法は、セル内の未構成の（non-configured）ＵＥのための絶対許可を送信５１０している。
【００３６】
特定の多様な条件下で、不連続送信（ＤＴＸ）を実行するよりもむしろＥ−ＡＧＣＨ上で“何らかのもの”が送信されるという保険的動作を行うことにより、ＵＥがチャネルを検出して、特定の送信信号がそのＵＥを宛て先としていないケースではマッチングしない巡回冗長検査（ＣＲＣ）を導出することが可能となる。ノイズフロアを超えるシグナリングにより、これはいわゆる“ゴースト許可”の検出のリスクを引き下げる。結果的に、ＵＥにおけるゴースト許可検出のレートは、本発明に従って引き下げられる。
【００３７】
図６において、代替的な実施形態が示されており、ステップ５１０がステップ５１４及び５１１に置き換えられている。上と同じ参照を伴う方法ステップは、同じ内容を有しており、反復説明されないであろう。
【００３８】
よって、絶対許可がスケジューリングされず、かつセル内で少なくとも１つのＵＥが制御チャネルＥ−ＡＧＣＨ上での受信５０４を行うために構成されている場合、本方法は、セル内の任意の構成済みのＵＥを選択するステップ５１４、及び選択された当該ＵＥへより早い送信時間インターバルにおいて過去に送信された絶対許可を送信するステップ５１１、即ち許可を再送すること、を実行している。
【００３９】
この実施形態は、ソフトハンドオーバ（ＨＯ）を提供しない性質を有する隔離された単一のセルの用途について有益である。繰り返しの絶対許可を選択されるＵＥへ送信することは、ソフトＨＯでは問題となり得る。なぜなら、繰り返しのＡＧが許可を増加させることができる一方で、非サービング無線リンク（ＲＬ）が相対許可（１ＳＧ（サービング許可）インデックス下方へ）を送信するかもしれないからである。
【００４０】
本発明のさらなる実施形態によれば、図５、図６及び図７に示されている電力オフセットのステップ５１２が、ステップ５１０及び５１１における送信のために実行される。本発明によれば、Ｅ−ＡＧＣＨの誤検出を回避するためには、例えばステップ５０６において絶対許可を送信するための電力レベルの使用に対して相対的に、ステップ５１１及び５１０における送信では、例えば３ｄＢ下方へ低減された値で十分であり得ることが見出されている。実践的には、２ｄＢの低減値で十分であり得る。よって、必要とされるよりも多くないＤＬ電力が使用される。電力レベルの低減の量はトレードオフであると考えられる。電力を低減すると、誤検出のレートは減少する。一方で、ＨＳＤＰＡ用といった他のＤＬ送信のために利用可能なＤＬ電力は増加するであろう。
【００４１】
さらなる観点によれば、本発明の方法は、高速アップリンクパケットアクセス（ＨＳＵＰＡ）に従って動作するシステムにとって特に適している。
【００４２】
上記基地局は、ノードＢであってよい。
【００４３】
上記制御チャネルは、拡張専用チャネル（Ｅ−ＤＣＨ）絶対許可チャネル（Ｅ−ＡＧＣＨ）というチャネルであってよい。
【００４４】
セル内の未構成のＵＥのための絶対許可を送信する上記ステップは、セル内で構成されていない拡張専用チャネル（Ｅ−ＤＣＨ）無線ネットワーク一時識別子（Ｅ−ＲＮＴＩ）のための絶対許可を送信すること、に相当してよい。
【００４５】
図７において、さらなる実施形態が示されている。
【００４６】
図６との関係において、さらなるステップ５１６は、選択されたＵＥがソフトハンドオーバ中であるかをチェックする。ｙｅｓであれば、本方法はステップ５１１へ移動し、ｎｏであれば、本方法はステップ５１０へ移動する。あらためて言うと、本実施形態は、さらなる観点として、ステップ５１０及び５１０の双方に続くステップ５１２にて、電力オフセットを提供し得る。
【００４７】
上述したように、Ｅ−ＡＧＣＨ誤検出は、いくつかの問題を引き起こす。ゴースト信号は既に負荷の掛かっているセルの“さらにその上に”現れ得ることから、それはおそらくは非常に高レベル追加的な干渉をもたらす。それは復号エラー、ブロックエラーレート（ＢＬＥＲ）を引き起こす。ＵＥにおけるゴースト検出は、ノードＢのリソース制約に起因して、ノードＢにおける復号の問題をももたらし得る。その上、ゴースト許可は、ＲＬＣの再送及びＨＡＲＱの失敗をもたらす。本発明の実施形態は、わずかに高いＤＬ電力の消費を代価として、これら問題を軽減する。
【００４８】
図８において、サービング基地局及び非サービング基地局の双方として動作可能な、ノードＢとも呼ばれる、本発明に係る例示的な基地局が示されている。
【００４９】
基地局は、Ｅ−ＲＧＣＨ／ＨＩＣＨ処理ステージ１〜ｎ、レイヤ１処理、Ｅ−ＡＧＣＨ処理、スケジューラ（ＳＣＨ）、ユーザエンティティ１〜ｎ用のそれぞれのＨＡＲＱエンティティを含み、各ＨＡＲＱエンティティは、各ユーザエンティティについてのＨＡＲＱプロセスに従ってパケット１〜ｍを受信するための複数のＨＡＲＱレシーバを含む。また、ノードＢは、エアインタフェース上のＥ−ＡＧＣＨ及びＥ−ＲＧＣＨ上で通信するためのレイヤ１処理手段、ＤＰＣＣＨ、Ｅ−ＤＰＣＣＨ及びＥ−ＤＰＤＣＣＨチャネル上で送信するためのＬ１処理手段を含む。また、基地局は、ｉｕｂインタフェース上で通信するためのＥ−ＤＰＣＨ  ＦＰ手段を含む。ＭＡＣ−ｅ  Ｅ−ＤＰＣＣＨ復号手段１〜ｎは、ＵＥ１〜ｎ用のＨＡＲＱエンティティのために提供される。本発明によれば、本発明に係るノードＢに関する本方法のステップ群は、スケジューラ内に実装されてよい。
【００５０】
よって、セル内のユーザエンティティ（ＵＥ）からのアップリンク送信をスケジューリングし及び受信し、さらに当該送信に関連するデータをコアネットワークへ転送するために適合される、スケジューラ（ＳＣＨ）を備える基地局が提供される。
当該基地局は、対応する送信時間インターバル５００上で許可されたデータレートでユーザエンティティがアップリンク送信信号を送信することを許容するために、ある送信時間インターバルについて制御チャネルＥ−ＡＧＣＨ上で絶対許可信号を送信５０６するために適合される。
当該基地局は、上記制御チャネル上の送信時間インターバルについて、
−絶対許可がスケジューリングされる場合５０２に、上記絶対許可を送信５０６し、
−絶対許可がスケジューリングされない場合５０２に、上記セル内で少なくとも１つのＵＥが上記制御チャネルＥ−ＡＧＣＨ上での受信を行うために構成されているかを調査５０４し、構成されていないときに送信を控える５０８（ＤＴＸ）、
ためにさらに適合される。
−絶対許可がスケジューリングされず５０２、かつ上記セル内で少なくとも１つのＵＥが上記制御チャネルＥ−ＡＧＣＨ上での受信５０４を行うために構成されている場合には、上記基地局は、
ａ）−上記セル内の未構成のＵＥのための絶対許可を送信５１０することと、
ｂ）−上記セル内の任意の構成済みのＵＥを選択５１４し、選択された当該ＵＥへより早い送信時間インターバルにおいて過去に送信された絶対許可を送信５１１することと、
のうちの少なくとも一方を実行するために適合される。
【００５１】
上記基地局が上記セル内の任意の構成済みのＵＥを選択５１４し選択された当該ＵＥへより早い送信時間インターバルにおいて過去に送信された絶対許可を送信５１１するように適合されるケースについて、上記基地局は、さらに、
−選択された上記ＵＥがソフトハンドオーバ中であるかを調査５１６し、ソフトハンドオーバ中である場合に、選択された当該ＵＥへより早い送信時間インターバルにおいて過去に送信された絶対許可を送信５１１し、ソフトハンドオーバ中ではない場合に、上記セル内の未構成のＵＥのための絶対許可を上記制御チャネル上で送信５１０する、ために適合される。
【００５２】
さらなる観点によれば、セル内の未構成のＵＥのための絶対許可の送信５１０又はより早い送信時間インターバルにおいて過去に送信された絶対許可の送信５１１は、
−スケジューリング５０２される絶対許可５０６が送信される電力レベルに対して相対的に低減された電力レベルで実行５１２される。
【００５３】
一実施形態によれば、上記低減された電力レベルは、スケジューリング５０２される絶対許可５０６が送信されるレベルを少なくとも２ｄＢ下回る。
【００５４】
さらに、基地局は、高速アップリンクパケットアクセス（ＨＳＵＰＡ）に従って動作するために適合されてもよい。当該基地局は、いわゆるノードＢであることができる。上記制御チャネルは、拡張専用チャネル（Ｅ−ＤＣＨ）絶対許可チャネル（Ｅ−ＡＧＣＨ）というチャネルによって構成されることができ、一実施形態によれば、上記基地局がセル内の未構成のＵＥのための絶対許可を送信するために適合されることは、当該基地局がセル内で構成されていない拡張専用チャネル（Ｅ−ＤＣＨ）無線ネットワーク一時識別子（Ｅ−ＲＮＴＩ）のための絶対許可を送信するために適合されること、に相当する。
【図１】
0005926457.tif 000002
【図２】
0005926457.tif 000003
【図３】
0005926457.tif 000004
【図４】
0005926457.tif 000005
【図５】
0005926457.tif 000006
【図６】
0005926457.tif 000007
【図７】
0005926457.tif 000008
【図８】
0005926457.tif 000009